(57)【特許請求の範囲】
【請求項１】
玄米または白米などの穀類選別機から穀類を充填する穀類袋の袋開口保持装置であって、
穀類袋内に挿入して袋の上端を開口保持するとともに袋を自立支持する袋立器から成り、
袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、
袋立器を構成する上下リング部は同径の円形体であり、上下リング部間を連結する支柱部は３本以上でかつ外方に湾曲膨出状を成している
ことを特徴とする穀類選別機用袋開口保持装置。
【請求項２】
玄米または白米などの穀類選別機から穀類を充填する穀類袋の袋開口保持装置であって、
穀類袋内に挿入して袋の上端を開口保持するとともに袋を自立支持する袋立器から成り、
袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、
袋立器を構成する上下リング部は、上リング部が下リング部より大径の円形体であり、上下リング部間を連結する支柱部は３本以上でかつ直線状である
ことを特徴とする穀類選別機用袋開口保持装置。
【請求項３】
玄米または白米などの穀類選別機から穀類を充填する穀類袋の袋開口保持装置であって、
穀類袋内に挿入して袋の上端を開口保持するとともに袋を自立支持する袋立器から成り、
袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、
袋立器を構成する上下リング部は、上リング部が下リング部より小径の円形体であり、上下リング部間を連結する支柱部は３本以上でかつ直線状である
ことを特徴とする穀類選別機用袋開口保持装置。
【請求項４】
玄米または白米などの穀類選別機から穀類を充填する穀類袋の袋開口保持装置であって、
穀類袋内に挿入して袋の上端を開口保持するとともに袋を自立支持する袋立器から成り、
袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、
袋立器を構成する上リング部、下リング部および上下リング部間を連結する支柱部は、一連の螺旋を成すように形成されている
ことを特徴とする穀類選別機用袋開口保持装置。
【請求項５】
支柱部の螺旋部分は外方に湾曲膨出状に形成されていることを特徴とする請求項４記載の穀類選別機用袋開口保持装置。
【発明の詳細な説明】
【０００１】
【発明の属する技術分野】
本発明は、玄米または白米などの穀類選別機から穀類を充填する穀類袋の袋開口保持装置に関する。
【０００２】
【従来の技術】
籾摺機で籾摺りした玄米または精米機で精米した白米は、穀粒の表面が摩擦や研削作用を受けるところから、穀粒の一部に破砕が生じたり、変形が生じることは避けられない。このような破砕粒や変形粒は、屑粒のような細粒のほかに粒の一部が欠けた欠損粒（いわゆる半欠け米または胴割れ米）などの非整粒であるが、玄米または白米を所定品位のものとするには、品位度に応じた精選率まで非整粒を選別除去する必要がある。
【０００３】
この種の穀類選別機においては、選別した穀類を穀類袋に重量を計量しながら充填するので、従来から、穀類袋の上端を開口して自立保持する袋立器を用いており、その袋立器としては、穀類袋内に挿入して袋を開口させ、かつ自立保持するものがある。
【０００４】
【発明が解決しようとする課題】
ところで、従来の穀類袋内に挿入して用いる袋立器は、穀類袋を確実に開口保持するため、穀類袋を広げた状態でその内面にできるだけ密に沿うようにしたものであったり、また、袋を内側から突っ張り保持するようにしたものであるから、穀類袋に袋立器を挿入することが手軽にできず、作業を円滑に行うにはかなりの熟練を要するのが実状である。そして、殊に、穀類選別機のように穀類の計量充填作業を次々と連続的に充填する作業形態においては、円滑かつ効率よく作業を行うために、穀類袋に袋立器を迅速かつ手軽に挿入したり取り出したりできることが要請される。
【０００５】
そこで、本発明は、袋の上端を開口保持するとともに袋を自立支持する袋立器を、その最大円周を袋の最大開口円周より小さく形成して穀類袋に緩く挿入するようにしたことにより、袋立器を穀類袋に挿入したり取り出すことが容易かつ迅速にでき、しかも、開口し自立保持した穀類袋に穀類の充填中に、袋が下方に膨らんで袋の高さが縮小しても、開口および自立状態を確実に保持できる穀類選別機用袋開口保持装置を提供することを目的とする。
【０００６】
【課題を解決するための手段】
本発明に係る請求項１の構成は、玄米または白米などの穀類選別機から穀類を充填する穀類袋の袋開口保持装置であって、穀類袋内に挿入して袋の上端を開口保持するとともに袋を自立支持する袋立器から成り、袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、袋立器を構成する上下リング部は同径の円形体であり、上下リング部間を連結する支柱部は３本以上でかつ外方に湾曲膨出状を成していることを特徴とする穀類選別機用袋開口保持装置である。
【０００７】
本発明に係る請求項２の構成は、玄米または白米などの穀類選別機から穀類を充填する穀類袋の袋開口保持装置であって、穀類袋内に挿入して袋の上端を開口保持するとともに袋を自立支持する袋立器から成り、袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、袋立器を構成する上下リング部は、上リング部が下リング部より大径の円形体であり、上下リング部間を連結する支柱部は３本以上でかつ直線状であることを特徴とする穀類選別機用袋開口保持装置である。
【０００８】
本発明に係る請求項３の構成は、玄米または白米などの穀類選別機から穀類を充填する穀類袋の袋開口保持装置であって、穀類袋内に挿入して袋の上端を開口保持するとともに袋を自立支持する袋立器から成り、袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、袋立器を構成する上下リング部は、上リング部が下リング部より小径の円形体であり、上下リング部間を連結する支柱部は３本以上でかつ直線状であることを特徴とするものである。
【０００９】
本発明に係る請求項４の構成は、玄米または白米などの穀類選別機から穀類を充填する穀類袋の袋開口保持装置であって、穀類袋内に挿入して袋の上端を開口保持するとともに袋を自立支持する袋立器から成り、袋立器は、袋の上部を広げる上リング部と、袋の底部を広げる下リング部と、この上下リング部間を連結する支柱部とで構成されており、上記袋立器は、その最大円周が袋の最大開口円周より小さく形成されていて穀類袋に緩く挿入することができるものであり、袋立器を構成する上リング部、下リング部および上下リング部間を連結する支柱部は、一連の螺旋を成すように形成されていることを特徴とする穀類選別機用袋開口保持装置である。
【００１０】
本発明に係る請求項５の構成は、請求項４の構成において、支柱部の螺旋部分は外方に湾曲膨出状に形成されていることを特徴とするものである。
【００１１】
【発明の実施の形態】
図１は袋立器の斜視図、図２は本発明の第１の実施の形態に係る袋立器の斜視図、図３は本発明の第２の実施の形態に係る袋立器の斜視図、図４は本発明の第３の実施の形態に係る袋立器の斜視図、図５は本発明の第４の実施の形態に係る袋立器の斜視図、図６は穀類選別機の一例を示す斜視図である。
【００１２】
図１において、１は袋立器である。この袋立器１は、円形体の上リング部２と円形体の下リング部３を４本の支柱部４により連結して成るものである。上記上リング部２と下リング部３は同径のものであり、４本の支柱部は直線状であって、上リング部２および下リング部３に４５度ごとの等間隔に配設されている。支柱部４は少なくとも３本必要である。支柱部４は垂直状を成している。５は穀類袋である。この穀類袋５はポリエチレン製であって、円筒状のフィルムの底端を封じ、かつ上端を開口したものである。穀類袋５は、平面状とした態様で矩形状を成し、横幅と縦幅の比は約１：１．６である。穀類袋５は膨らませて略円筒状とすることができるものである。
【００１３】
図１に示す袋立器１は、穀類袋５に対して、その中に緩く挿入することができるものである。したがって、円筒状とした穀類袋５の径に対して、上下リング部２，３の外径は１〜２ｃｍ程度小さく形成されている。袋立器１の高さは、穀類袋５を自立させた高さの８０％程度低くしてある。
【００１４】
図２に示す本発明の第１の実施の形態に係る袋立器１は、上下リング部２，３間を連結する４本の支柱部４が外方に湾曲膨出状に形成されている。このため、この袋立器１は、上下リング部２，３と外方に膨出する支柱部４によって囲まれる仮想形状がビヤ樽状を成すものである。
【００１５】
図３に示す第２の実施の形態に係る袋立器１は、上リング部２が下リング部３より大径の円形体であり、上下リング部２，３間を連結する４本の支柱部４は直線状である。したがって、この袋立器１は上方に拡開した形状を成しているので、穀類の充填が容易である。なお、図示しないが、上リング部２を下リング部３より小径の円形体とすることにより、穀類袋５の自立支持の安定性を向上させることができる。
【００１６】
図４に示す第３の実施の形態に係る袋立器１は、上リング部２、下リング部３および上下リング部間を連結する支柱部４を、一連の線材を螺旋状に巻いて形成したものである。
【００１７】
図５に示す第４の実施の形態に係る袋立器１は、上リング部２、下リング部３および上下リング部２，３間を連結する支柱部４を、一連の線材を螺旋状に巻いて形成したものであり、支柱部４の螺旋部分は外方に湾曲膨出状に形成されている。
【００１８】
本発明に係る袋立器１は、金属製であって塗装を施したものであるが、これは硬質プラスチックの成形品であってもよい。
【００１９】
図６には穀類選別機６が例示されている。この穀類選別機６は、籾摺機により籾摺りした玄米または精米機により精米した白米から細粒および欠損粒などの非整粒を選別除去するものである。穀類選別機６において、７は内部に多孔選別回転筒を備えた選別部、８は整粒貯留タンク、９は整粒送出口、１０は非整粒排出口である。整粒送出口９の下方には重量計１１が配置される。穀類選別機６から穀類袋５に穀類（整粒）を充填するには、穀類袋５内に袋立器１を挿入して上端を開口し、かつ自立保持状態として重量計１１の上にのせる。そして、整粒送出口９から穀類袋５に整粒を注入する。
【００２０】
上記のように、袋立器１を挿入して開口し、自立保持した穀類袋５に穀類を注入すると、袋立器１に支えられている穀類袋５はその底部が穀類の重みによって押し下げられて変形するとともに高さがある程度縮むが、穀類袋５の上部は上リング部２に若干絡みつくように確実に支承される。このため、穀類の注入中に穀類袋５の上端の開口が狭まったり閉じることがない。穀類袋５の底部は下リング部３によって下方に押し付けるように支持されるので、穀類袋５は上端を開口した状態で確実に自立保持される。
【００２１】
袋立器１は、穀類袋５に対して緩く挿入することができるので、穀類袋５内に袋立器１を挿入したり、取り出す作業が容易であり、迅速にできる。このため、穀類選別機６に整粒を充填する際に穀類袋５をセットする作業が滞りなく効率よく行うことができる。殊に、穀類袋５がポリエチレン製のように軟質で内面が滑り性に欠けるものであっても、袋立器１は穀類袋５に対して緩く挿入できるので、その挿入および取り出しに支障がなく容易である。
【００２２】
図２に示す第１の実施の形態のものでは、袋立器１の上下リング部２，３と外方に膨出する支柱部４によって囲まれる仮想形状がビヤ樽状を成しているので、穀類袋５に穀類を充填することにより穀類袋５が変形し、高さが縮んでも、穀類袋５は袋立器１の外周によって支承されて下方へのズリ下がりを確実に防止することができる。図５に示す第４の実施の形態に係る袋立器１においても同様である。
【００２３】
図３に示す第２の実施の形態のものは、袋立器１の上リング部２が下リング部３より大径の円形体であり、袋立器１が上方に拡開した形状を成しているので、穀類袋５内に袋立器１を挿入することが一層容易であるうえ、穀類袋５の上部が大径の上リング部２によって支持されるので、開口部が広く保持され、穀類の充填が確実かつ容易である。
【００２４】
図４および図５に示す第３および第４の実施の形態のものでは、袋立器１が一連の線材で一体に形成されるので、その構造が簡素で製作が容易である。
【００２５】
以上説明した本発明の各実施の形態においては、袋立器１を構成する上下リング部２，３が円形体のものを例示したが、上下リング部２，３とも正方形等の矩形状、楕円状その他の形状であってもよく、例えば、上下リング部２，３の何れか一方を矩形状、他方を円形状とするように、上下リング部２，３の形状を異にすることもできる。
【００２６】
また、本発明に係る袋立器１は、主な用途として穀類選別機６から穀類を充填するのに用いるものであるが、必ずしもその用途に限るものではなく、手作業等による穀類の充填の場合にも用いることができる。なお、本発明に係る袋立器１は穀類のほか、穀粉その他の粉類や種々の粒状物の充填にもそのまま使用することができる。
【００２７】
【発明の効果】
本発明によれば、袋の上端を開口保持するとともに袋を自立支持する袋立器を、その最大円周を袋の最大開口円周より小さく形成して穀類袋に緩く挿入するようにしたことにより、袋立器を穀類袋に挿入したり取り出すことが容易かつ迅速にでき、しかも、開口し自立保持した穀類袋に穀類の充填中に、袋が下方に膨らんで袋の高さが縮小しても、開口および自立状態を確実に保持できる穀類選別機用袋開口保持装置を得ることができる。
【図面の簡単な説明】
【図１】  袋立器の斜視図である。
【図２】  本発明の第１の実施の形態に係る袋立器の斜視図である。
【図３】  本発明の第２の実施の形態に係る袋立器の斜視図である。
【図４】  本発明の第３の実施の形態に係る袋立器の斜視図である。
【図５】  本発明の第４の実施の形態に係る袋立器の斜視図である。
【図６】  穀類選別機の一例を示す斜視図である。
【符号の説明】
１  袋立器
２  上リング部
３  下リング部
４  支柱部
５  穀類袋
６  穀類選別機
７  選別部
８  整粒貯留タンク
９  整粒送出口
１０  非整粒排出口
１１  重量計
【図１】
0003958416.tif 000002
【図２】
0003958416.tif 000003
【図３】
0003958416.tif 000004
【図４】
0003958416.tif 000005
【図５】
0003958416.tif 000006
【図６】
0003958416.tif 000007